(57)【要約】【課題】接続および接続解除が容易で、接続のためのコストを低減することができる接続端子およびこの端子を用いたコネクタを提供する。【解決手段】本発明の接続端子１は、外力に抗しつつ近接して互いに電極２４を挟む、一体的に設けられた第１押圧部４および第２押圧部１６と、第１押圧部４に設けられ、この第１押圧部４と第２押圧部１６とで電極を挟んだ状態で第１押圧部４を保持するロック部材１３、２１と、を備えることを特徴とする。【選択図】  図６−Ａ
2017111863.tif 000002
【特許請求の範囲】
【請求項１】
外力に抗しつつ近接して互いに電極を挟む、一体的に設けられた第１押圧部および第２押圧部と、
前記第１押圧部に設けられ、当該第１押圧部と前記第２押圧部とで前記電極を挟んだ状態で前記第１押圧部を保持するロック部材と、
を備えることを特徴とする接続端子。
【請求項２】
前記ロック部材は、前記第１押圧部が前記第２押圧部へ近接することを許容し、前記第１押圧部が前記第２押圧部から離れることを阻止する係止部を有することを特徴とする請求項１に記載の接続端子。
【請求項３】
前記電極としての箔電極が接続される接続端子であって、
前記箔電極が接続される箔電極接続部を備えた電極ベース部と、
この電極ベース部に連続して設けられ前記箔電極接続部との間で前記箔電極を所定の接触圧で挟持する箔電極接続バネ部とを備え、
前記箔電極接続バネ部は、前記電極ベース部から連続し前記箔電極接続部側に延設された一次バネ片と、
この一次バネ片から前記箔電極接続部に向けて延設されるとともに前記一次バネ片に向けて折り曲げられた二次バネ片とを備え、
前記二次バネ片には、前記一次バネ片を前記箔電極接続部側へ撓ませることで該箔電極接続部との間で所定の接触圧で前記箔電極を押圧挟持する箔電極押圧部が設けられ、
前記箔電極押圧部が前記第１押圧部であり、前記箔電極接続部が前記第２押圧部であることを特徴とする請求項１又は請求項２に記載の接続端子。
【請求項４】
前記箔電極接続バネ部の両側であって前記電極ベース部の両側部から同方向に立ち上がり、前記一次バネ片の係止側部が係止して、前記一次バネ片の前記箔電極接続部側への撓み状態を保持するロック係止部を有するロック側板部が設けられ、
前記係止側部と前記ロック係止部が前記ロック部材であることを特徴とする請求項３に記載の接続端子。
【請求項５】
前記一次バネ片が前記電極ベース部に連続し該電極ベース部側に折り返された一次バネ部と、この一次バネ部から直線状に延設される一次バネアーム部と、この一次バネアーム部の側部に設けられた前記係止側部とで形成され、
前記二次バネ片が前記一次バネアーム部から連続し該一次バネアーム部側へ折り返された二次バネ部と、この二次バネ部から直線状に前記電極ベース部側に延設される二次バネアーム部と、この二次アーム部から連続し前記一次バネアーム部側へ向けて直線状に折り曲げられた支持バネ部と、この支持バネ部の先端側に設けられて前記一次バネアーム部に当接する当接端と、前記二次バネアーム部と前記支持バネ部との間に設けられて前記一次バネ片を前記箔電極接続部側へ撓ませた状態で前記箔電極接続部との間で所定の接触圧で前記箔電極を押圧挟持する前記箔電極押圧部とを備えていることを特徴とする請求項３又は請求項４に記載の接続端子。
【請求項６】
前記箔電極接続バネ部の両側であって前記電極ベース部の両側部から同方向に立ち上がる一対の保護側壁に、前記一次バネ片が前記箔電極接続部側へ撓んだ状態で該一次バネ片に当接し、前記一次バネ片の撓み量を規制する撓み規制部を設けたことを特徴とする請求項３乃至請求項５のいずれか一項に記載の接続端子。
【請求項７】
前記箔電極接続部には、前記一次バネ片が撓んで前記箔電極押圧部が当接する位置の両側に、前記箔電極押圧部側に突出する一対のビードが設けられていることを特徴とする請求項３乃至請求項７のいずれか一項に記載の接続端子。
【請求項８】
コネクタ本体と、このコネクタ本体内に固定され出力ケーブルの端末に接続された端子と、この端子に接続された請求項１〜請求項７のいずれか一項に記載の接続端子とで形成されていることを特徴とするコネクタ。
【発明の詳細な説明】
【技術分野】
【０００１】
本発明は、スチール箔等の箔電極を相手側接続導体に接続する接続端子に関し、ソーラーパネル（太陽電池）が発電した電力を出力ケーブルに導出する際にソーラーパネルから引き出されたスチール箔製のソーラーパネル電極（箔電極）を出力ケーブル端末の端子（相手側接続導体）に接続する際に使用できる接続端子およびこの端子を用いたコネクタに関する。
【背景技術】
【０００２】
ソーラーパネル（太陽電池）が発電した電力は、ソーラーパネルから引き出された箔電極と出力ケーブル端末の端子とを接続することにより外部に取り出される。箔電極はスチール箔で製造されている。箔電極と接続される端子は錫めっきが施された端子材料で製造されている。このような箔電極と端子とを接続する場合、所定の接触圧で箔電極と端子とを接続する。
【０００３】
一般に、スチール材料と錫めっきが施された端子材料との電気的接続において、安定した電気的接続を得るためには５Ｎ程度の接触圧力を必要とする。しかし、スチール箔からなる箔電極は、０．２ｍｍ程度の厚さなので、所定の接触圧で端子と接触させる際に高い予圧（プリロード）をかける必要がある。すなわち、薄い電極と厚みのある端子とを接続する際に、薄い電極を端子に確実に接触させるには、所定の圧力で電極を端子に押し付ける必要がある。
【０００４】
このため、薄い電極を端子に所定の接触圧で押圧するのに、高い与圧を必要とする。ところが、高い予圧のための大きな荷重は箔電極と端子との接続作業性を損ない且つ端子の弾性力で電極と接続する場合は、大きな荷重を端子の弾性力で得るために端子全体が大型化してしまう。
【０００５】
そこで、ソーラーパネルからの箔電極と出力ケーブル端末の端子との接続では、引用文献１、２に開示されるように、箔電極と端子とを半田付けする方法、箔電極と端子とを溶接する方法、箔電極を端子にネジ止めする方法が用いられている。これにより、箔電極と出力ケーブル端末の端子との安定した電気的接続が得られる。
【先行技術文献】
【特許文献】
【０００６】
【特許文献１】特開２０１１−９６７１０号公報
【特許文献２】特開平１１−２０４１５３号公報
【発明の概要】
【発明が解決しようとする課題】
【０００７】
しかしながら、ソーラーパネルから引き出された箔電極と出力ケーブルの端末の端子とを半田付けや溶接により接続してしまうと、ソーラーパネルを交換する際に、箔電極と端子との接続を容易に解除することができない。このため、上記方法では、ソーラーパネルを容易に交換することができない。
【０００８】
一方、ソーラーパネルから引き出された箔電極と端子とをねじ止めにより接続しようとすると、ネジ止め接続のためのねじ部の設定やナット、箔電極と端子とを接合させるための部材等が必要となる。さらに工具を用いてネジ止めする作業工数も増えるため箔電極と端子とを接続するための接続コストが高騰する。
【０００９】
そこで、本発明は、箔電極と相手側接続導体との接続において、接続および接続解除が容易で、接続のためのコストを低減することができる接続端子およびこの端子を用いたコネクタの提供を目的とする。
【課題を解決するための手段】
【００１０】
上記課題を解決するため、本発明の一態様は、外力に抗しつつ近接して互いに電極を挟む、一体的に設けられた第１押圧部および第２押圧部と、第１押圧部に設けられ、この第１押圧部と第２押圧部とで電極を挟んだ状態で第１押圧部を保持するロック部材と、を備えることを特徴とする。
【００１１】
また、本発明の一態様は、ロック部材は、第１押圧部が第２押圧部へ近接することを許容し、第１押圧部が第２押圧部から離れることを阻止する係止部を有することを特徴とする。
【００１２】
また、本発明の一態様は、箔電極が接続される接続端子であって、電極としての箔電極が接続される箔電極接続部を備えた電極ベース部と、この電極ベース部に連続して設けられ箔電極接続部との間で箔電極を所定の接触圧で挟持する箔電極接続バネ部とを備え、箔電極接続バネ部は、電極ベース部から連続し箔電極接続部側に延設された一次バネ片と、この一次バネ片から箔電極接続部に向けて延設されるとともに一次バネ片に向けて折り曲げられた二次バネ片とを備え、二次バネ片には、一次バネ片を箔電極接続部側へ撓ませることで該箔電極接続部との間で所定の接触圧で箔電極を押圧挟持する箔電極押圧部が設けられ、箔電極押圧部が第１押圧部であり、箔電極接続部が第２押圧部であることを特徴とする。
【００１３】
また、本発明の一態様は、箔電極接続バネ部の両側であって電極ベース部の両側部から同方向に立ち上がり、一次バネ片の係止側部が係止して、一次バネ片の箔電極接続部側への撓み状態を保持するロック係止部を有するロック側板部が設けられ、係止側部とロック係止部がロック部材であることを特徴とする。
【００１４】
また、本発明の一態様は、一次バネ片が電極ベース部に連続し該電極ベース部側に折り返された一次バネ部と、この一次バネ部から直線状に延設される一次バネアーム部と、この一次バネアーム部の側部に設けられた係止側部とで形成され、二次バネ片が一次バネアーム部から連続しこの一次バネアーム部側へ折り返された二次バネ部と、この二次バネ部から直線状に電極ベース部側に延設される二次バネアーム部と、この二次アーム部から連続し一次バネアーム部側へ向けて直線状に折り曲げられた支持バネ部と、この支持バネ部の先端側に設けられて一次バネアーム部に当接する当接端と、二次バネアーム部と支持バネ部との間に設けられて一次バネ片を箔電極接続部側へ撓ませた状態で箔電極接続部との間で所定の接触圧で箔電極を押圧挟持する箔電極押圧部とを備えていることを特徴とする。
【００１５】
また、本発明の一態様は、箔電極接続バネ部の両側であって電極ベース部の両側部から同方向に立ち上がる一対の保護側壁に、一次バネ片が箔電極接続部側へ撓んだ状態で該一次バネ片に当接し、一次バネ片の撓み量を規制する撓み規制部を設けたことを特徴とする。
【００１６】
また、本発明の一態様は、箔電極接続部には、一次バネ片が撓んで箔電極押圧部が当接する位置の両側に、箔電極押圧部側に突出する一対のビードが設けられていることを特徴とする。
【００１７】
また、本発明のコネクタの一態様は、コネクタ本体と、このコネクタ本体内に固定され出力ケーブルの端末に接続された端子と、この端子に接続された請求項１〜請求項７に記載の接続端子とで形成されていることを特徴とする。
【発明の効果】
【００１８】
本発明に係る接続端子によれば、箔電極と相手側接続導体との接続において、接続および接続解除が容易で、接続のためのコストを低減することができる。
【００１９】
また、一次バネ片を箔電極接続部側へ撓ませることで、この箔電極接続部との間で所定の接触圧で箔電極を二次バネ片の箔電極押圧部が押圧挟持するので、箔電極と接続端子との接続が容易で、接続のためのコストを低減することができる。また、一次バネ片の撓み状態を解除すれば、箔電極接続部と箔電極押圧部との間での箔電極の押圧挟持状態を容易に解除することができる。
【図面の簡単な説明】
【００２０】
【図１】図１は、本発明の実施の形態に係る接続端子を示し、一部を破断した側面図である。
【図２】図２は、本発明の実施の形態に係る接続端子を示し、図１の接続端子を紙面右側から見た背面図である。
【図３】図３は、本発明の実施の形態に係る接続端子を示し、図１の接続端子を紙面左側から見た正面図である。
【図４】図４は、本発明の実施の形態に係る接続端子を示し、図１の箔電極接続端子を紙面上側から見た平面図である。
【図５】図５は、本発明の実施の形態に係る接続端子を示す側面図である。
【図６−Ａ】図６−Ａは、本発明の実施の形態に係る接続端子に箔電極を接続する接続方法を示し、箔電極を接続端子に近接した状態を示す説明図である。
【図６−Ｂ】図６−Ｂは、本発明の実施の形態に係る接続端子に箔電極を接続する接続方法を示し、箔電極の端部を箔電極接続部と箔電極押圧部との間に挿入した状態を示す説明図である。
【図６−Ｃ】図６−Ｃは、本発明の実施の形態に係る接続端子に箔電極を接続する接続方法を示し、箔電極の端部を箔電極接続部と箔電極押圧部との間に挿入した状態で一次バネ片を箔電極接続部側へ押圧し撓ませた状態を示す説明図である。
【図６−Ｄ】図６−Ｄは、本発明の実施の形態に係る接続端子に箔電極を接続する接続方法を示し、箔電極を箔電極接続部と箔電極押圧部との間で挟持した状態で一次バネ片をさらに箔電極接続部側へ押圧し撓ませた状態を示す説明図である。
【図６−Ｅ】図６−Ｅは、本発明の実施の形態に係る接続端子に箔電極を接続する接続方法を示し、箔電極を箔電極接続部と箔電極押圧部との間で挟持した状態で一次バネ片の係止側部をロック係止部に係止した状態を示す説明図である。
【図７】図７は、本発明に係る接続端子を用いたコネクタを示す平面図である。
【図８】図８は、本発明に係る接続端子を用いたコネクタを示し、図７のVIII−VIII線に沿って切断した断面図である。
【発明を実施するための形態】
【００２１】
以下、本発明の実施の形態に係る接続端子およびこの端子を用いたコネクタの詳細を図面に基づいて説明する。本実施の形態に係る接続端子は、ソーラーパネル（太陽電池）が発電した電力を出力ケーブルに導出する際にソーラーパネルから引き出されたスチール箔製の箔電極を出力ケーブル端末の端子に接続する際に使用できる。
【００２２】
本発明の実施の形態に係る接続端子は、図６−Ａに示すように、外力に抗しつつ近接して互いに電極（以下に説明する箔電極２４）を挟む、一体的に設けられた第１押圧部（以下に説明する箔電極押圧部１６）および第２押圧部（以下に説明する箔電極接続部４）と、第１押圧部に設けられ、この第１押圧部と第２押圧部とで電極を挟んだ状態で第１押圧部を保持するロック部材（以下に説明する係止側部１３、１３およびロック係止部２１、２１）と、を備えている。
【００２３】
また、ロック部材は、第１押圧部が第２押圧部へ近接することを許容し、第１押圧部が第２押圧部から離れることを阻止する係止部を有する。
【００２４】
以下、接続端子の実施の形態について図面を用いて詳細に説明する。
［接続端子の実施の形態］
【００２５】
まず、図１〜図５を用いて、本発明の実施の形態に係る接続端子１について説明する。接続端子１は、電極ベース部２と、この電極ベース部２に連続して設けられた箔電極接続バネ部３とで構成されている。電極ベース部２は、箔電極が接続される第２押圧部としての箔電極接続部４を備えている。箔電極接続バネ部３は、箔電極を箔電極接続部４との間で所定の接触圧で挟持する。
【００２６】
図４に示すように、電極ベース部２は、矩形状で四隅に電極５ａ、５ｂ、５ｃ、５ｄがそれぞれ設けられている。これらの電極５ａ、５ｂ、５ｃ、５ｄで囲まれる中央部分に箔電極接続部４が形成されている。また、図１および図５に示すように、箔電極接続部４は電極５ａ、５ｂ、５ｃ、５ｄにより形成される平面より突出している。これらの電極５ａ、５ｂ、５ｃ、５ｄは、後述する出力ケーブル２７の端末に接続された端子６上に載置され、半田付けにより接続されている。
【００２７】
図１及び図４に示すように、箔電極接続部４には、幅方向（図４において紙面上下方向）に沿って２条のビード７、７が設けられている。さらに、電極ベース部２には、一側の電極５ａ、５ｂ間に矩形状の切り欠き８が設けられている。そして、電極ベース部２の切り欠き８の反対側の側部から箔電極接続バネ部３が連続して延設されている。
【００２８】
図１及び図５に示すように、箔電極接続バネ部３は、一次バネ片９と、この一次バネ片９に連続して設けられた二次バネ片１０とで形成されている。一次バネ片９は、一次バネ部１１と、一次バネ部１１から連続する一次バネアーム部１２とで形成されている。一次バネ部１１は、電極ベース部２の側端部の中央部分から電極ベース部２側（箔電極接続部４側）に折り返して湾曲形状に形成されている。図４に示すように、一次バネ部１１の幅寸法（図４において紙面上下方向の寸法）は電極ベース部２の側端部から次第に大きく形成され、一次バネアーム部１２が連続して形成されている。
【００２９】
一次バネアーム部１２は、図１および図４に示すように、平板状で一次バネ部１１から連続して電極ベース部２に対して登り傾斜の方向に延設して形成されている。この一次バネアーム部１２を電極ベース部２側へ接近するように押圧することで一次バネ部１１が撓むようになっている。一次バネアーム部１２の幅方向の両側（図４において紙面上下方向の側部）は、ロック部材としての係止側部１３、１３となっている。この係止側部１３、１３が、後述するロック部材としてのロック係止部２１に係止することで一次バネ部１１の撓み状態が保持される。この一次バネアーム部１２に連続して二次バネ片１０が形成されている。
【００３０】
二次バネ片１０は、一次バネアーム部１２から連続し、一次バネアーム部１２側へ折り返された二次バネ部１４と、この二次バネ部１４から直線状に電極ベース部２側に延設された二次バネアーム部１５とで形成されている。二次バネ部１４は、一次バネアーム部１２に連続して、電極ベース部２側に折り返されて湾曲形状に形成されている。この二次バネ部１４の幅寸法は、図２、図３、図４に示すように一次バネアーム部１２より狭幅となっている。この二次バネ部１４に連続して二次バネアーム部１５が設けられている。
【００３１】
二次バネアーム部１５は、電極ベース部２側に向けて、二次バネ部１４と同幅に形成されている。二次バネアーム部１５は、一次バネアーム部１２に対して一次バネアーム部１２から次第に離れるように、一次バネアーム部１２に対して所定の角度で電極ベース部２に向けて延設されている。この二次バネアーム部１５の先端部分は箔電極押圧部１６となっており、箔電極押圧部１６と箔電極接続部４との間には所定の隙間（開口）１７が設けられている。この隙間（開口）１７に後述する箔電極２４が挿入され、箔電極接続部４上に載置される。
【００３２】
また、二次バネ片１０は、二次バネアーム部１５から連続し一次バネアーム部１２側へ向けて折り曲げられた支持バネ部１８を備えている。支持バネ部１８の先端部は、二次バネ部１４側に向けて湾曲形状に折り曲げられて当接端１９が設けられている。この当接端１９は、二次バネ部１４が撓むことにより、一次バネアーム部１２の裏面側に当接する。
【００３３】
支持バネ部１８は、図２、図３に示すように、二次バネアーム部１５から次第に幅寸法が縮小して、二次バネアーム部１５に対して略直角に折り曲げられている。当接端１９は、二次バネ片１０が撓んでいない状態では、一次バネアーム部１２の裏面側から離間している。
【００３４】
そして、指、治具等により外力を付与し、この外力に抗しつつ一次バネアーム部１２を電極ベース部２側に押圧し、一次バネ部１１を撓ませることで、二次バネ片１０が電極ベース部２側に移動する。箔電極押圧部１６が箔電極接続部４に当接した状態からさらに一次バネアーム部１２を押圧し、一次バネ部１１を撓ませると、二次バネ片１０の当接端１９が一次バネアーム部１２の裏面側に当接し、二次バネ部１４が撓む。二次バネ部１４が撓むと、箔電極押圧部１６が箔電極接続部４側へ押圧される。この場合、箔電極押圧部１６が箔電極接続部４側へ押圧される押圧力は、一次バネ片９の撓みによる弾性力と二次バネ片１０の撓みによる弾性力の総和であり、箔電極押圧部１６と箔電極接続部４との間に後述する箔電極２４を挿入することで、箔電極２４を所定の接触圧で押圧挟持することができる。
【００３５】
また、図１〜図５に示すように、本実施の形態に係る接続端子１は、箔電極接続バネ部３の両側であって電極ベース部２の両側部から同方向に立ち上がるロック側板部２０、２０が設けられている。ロック側板部２０、２０の先端は、箔電極接続バネ部３側に向けてそれぞれ内側に折り曲げられ、電極ベース部２側へ向けて延設されて、ロック係止部２１、２１が形成されている。これらのロック係止部２１、２１には、一次バネアーム部１２の係止側部１３、１３が係止される。これにより、一次バネ片９の撓み状態が保持される。
【００３６】
さらに、図１〜図５に示すように、本実施の形態に係る接続端子１は、箔電極接続バネ部３の両側であって、ロック側板部２０、２０と一次バネ部１１との間に、電極ベース部２の両側部から同方向に立ち上がる一対の保護側壁２２、２２が設けられている。これらの保護側壁２２、２２の先端部は、互いに接近する方向（箔電極接続バネ部３側）に略直角に延設されて撓み規制部２３、２３が設けられている。この撓み規制部２３、２３には、一次バネアーム部１２の側部がそれぞれ当接する。
【００３７】
次に図６−Ａ〜図６−Ｅを用いて、本実施の形態に係る接続端子１に箔電極２４を接続する接続方法について説明する。図６−Ａに示すように、接続端子１は、一次バネ片９を撓ませる前の状態では、箔電極押圧部１６と箔電極接続部４との間に隙間１７が空いている。この状態から箔電極２４を電極ベース部２上に位置合わせし、箔電極２４の先端部を箔電極押圧部１６と箔電極接続部４との間に挿入し、図６−Ｂに示すように、箔電極２４が２条のビード７、７上に位置するように箔電極接続部４上に載置する。
【００３８】
次に図６−Ｃに示すように、一次バネアーム部１２を押圧して一次バネ片９を電極ベース部２側に撓ませて、箔電極押圧部１６を箔電極２４の端部に当接させる。さらに、図６−Ｄに示すように、一次バネアーム部１２を押圧して一次バネ片９を撓ませて、一次バネアーム部１２の係止側部１３、１３をロック係止部２１、２１にそれぞれ係止する。
【００３９】
これにより、図６−Ｅに示すように、一次バネ片９が撓んだ状態が保持される。この状態では、一次バネ片９、二次バネ片１０が撓むことにより、箔電極押圧部１６がビード７、７間の箔電極２４を所定の接触圧で箔電極接続部４側へ押圧している。このとき、支持バネ部１８の当接端１９が一次バネアーム部１２の裏面側に当接することにより、箔電極押圧部１６は、一次バネ片９の撓みによる弾性力と、二次バネ片１０の撓みによる弾性力とを総和した接触圧で箔電極２４を箔電極接続部４に所定の接触圧で押圧挟持することができる。
【００４０】
次に、図６−Ｅに示す状態、すなわち、箔電極２４が箔電極押圧部１６と箔電極接続部４との間で押圧挟持されている状態から、箔電極２４を外す場合は、箔電極接続バネ部３の両側のロック側板部２０、２０を互いに離れる方向に撓ませて、ロック係止部２１、２１への係止側部１３、１３の係止状態を解除する。ロック係止部２１、２１への係止側部１３、１３の係止状態を解除すると、一次バネ片９の弾性力で一次バネアーム部１２が図１に示す元の状態に復帰し、箔電極押圧部１６が箔電極接続部４から離間し、箔電極押圧部１６と箔電極接続部４との間に隙間１７が生じる。これにより、箔電極２４を接続端子１から外すことができる。
【００４１】
以上説明したように、本実施の形態に係る接続端子１によれば、一次バネ片９を箔電極接続部４側へ撓ませて、この箔電極接続部４との間で所定の接触圧で箔電極２４を押圧挟持する箔電極押圧部１６が二次バネ片１０に形成されているので、箔電極２４と接続端子１との接続が容易で、接続のためのコストを低減することができる。
【００４２】
本実施の形態に係る接続端子１では、初期の段階で一次バネ片９を撓ませることにより二次バネ片１０が電極ベース部２側に揺動し、箔電極接続部４上に載置した箔電極２４を箔電極押圧部１６により仮保持し、さらに一次バネ片９を撓ませることで二次バネ片１０が撓み、所定の接触圧で箔電極２４を箔電極接続部４と箔電極押圧部１６との間で押圧挟持することができる。
【００４３】
したがって、一次バネ片９は、バネ稼働容易性、作業性に重点を置き、且つバネ変位の最終変位で係止側部１３、１３がロック係止部２１、２１に係止する。二次バネ片１０は一次バネ片９と連続して形成され一次バネ片９を固定端とし、支持バネ部１８の当接端１９が一次バネ片９の裏面側に当接することで片端固定片端支持ばねとなり、一次バネ片９で容易な案内性、箔電極２４の仮保持を実現し、二次バネ片１０の変位により箔電極２４に必要な高接触圧を得ることができる。この接触圧によってビード７の歪み防止のためロック側板部２０と保護壁部２２との中間部に受け部３０を設け、高接触圧を端子６と受け部３０が接地することでビード７の歪みを防止する。
【００４４】
本実施の形態に係る接続端子１によれば、二次バネ片１０の箔電極押圧部１６と箔電極接続部４との間に隙間（開口）１７を設けたことにより、ソーラーパネルから引き出された箔電極２４を箔電極押圧部１６と箔電極接続部４との間に容易に挿入し、箔電極接続部４上に容易に載置することができる。
【００４５】
本実施の形態に係る接続端子１によれば、箔電極接続部４に２条のビード７、７を設け、これらの間に箔電極押圧部１６が当接するようにし、ビード７、７と箔電極押圧部１６との間で箔電極２４を押圧挟持するので、箔電極２４が箔電極接続部４と箔電極押圧部１６との間から抜けるのを防止することができる。
【００４６】
本実施の形態に係る接続端子１によれば、電極ベース部２の四隅に電極５ａ、５ｂ、５ｃ、５ｄを設けてこれらの電極５ａ、５ｂ、５ｃ、５ｄを端子６に溶接、半田付け等により接続し、箔電極接続部４を電極ベース部２の中央部分に設けであるので、一次バネ片９を撓ませる際に、電極５ａ、５ｂ、５ｃ、５ｄと端子６との接合部分に均等に圧力が加わり、電極５ａ、５ｂ、５ｃ、５ｄと端子６との接合部分の損傷を防止することができる。また、電極５ａ、５ｂ、５ｃ、５ｄの溶接、半田付け部に接触圧以上のストレスが係らないように接触圧以上の荷重は受け部３０が受け、接触過荷重が電極５ａ、５ｂ、５ｃ、５ｄへ影響を与えない。
【００４７】
本実施の形態に係る接続端子１によれば、保護側壁２２、２２に撓み規制部２３、２３を設けたことにより、一次バネ片９を撓ませた際に、過度の撓みを防止することができる。一次バネ片９の過度の撓みを防止することにより、二次バネ片１０の過度の撓みも防止することができ、箔電極２４を所定の接触圧で箔電極接続部４と箔電極押圧部１６との間で押圧挟持することができる。
［接続端子を用いたコネクタの実施の形態］
【００４８】
次に、本発明に係る接続端子１を用いたコネクタ２５について、図７、図８を用いて説明する。このコネクタ２５は、図８に示すようにソーラーパネル２６の裏面側（太陽光が当たらない面）に固定されており、ソーラーパネル２６が発電した電力を出力ケーブル２７に伝達する。
【００４９】
コネクタ２５は、樹脂等の絶縁材で形成された箱状のコネクタ本体２６と、このコネクタ本体２８内に固定され、出力ケーブル２７の端末に接続された端子６と、端子６に接続された接続端子１とで形成されている。コネクタ本体２８の内部には、板状の端子６が固定され、この端子６には出力ケーブル２７の端末が接続されている。端子６には、接続端子１が、電極５ａ、５ｂ、５ｃ、５ｄを溶接、あるいは半田付け等により接続されている。
【００５０】
また、コネクタ本体２８の底壁には、矩形状の開口２９が形成されており、この開口２９からソーラーパネル２６より引き出された箔電極２４がコネクタ本体２８内に導出され、接続端子１に接続されることで、ソーラーパネル２６が発電した電力が、接続端子１、端子６、出力ケーブル２７により外部に取り出される。
【００５１】
ソーラーパネル２６から引き出された箔電極２４をコネクタ本体２８内の接続端子１に接続するには、ソーラーパネル２６から引き出された箔電極２４をコネクタ本体２８の開口２９からコネクタ本体２８内に引き入れ、箔電極２４の先端部を、図６−Ａ〜図６−Ｅに示す手順により箔電極接続部４に所定の接触圧で接続する。そして、コネクタ本体２８をカバー（不図示）で覆う。これにより、箔電極２４と接続端子１とが接続される。
【００５２】
また、ソーラーパネル２６を交換する際に、箔電極２４と接続端子１との接続を解除する場合には、ロック側板部２０、２０を互いに離れる方向に撓ませることで、一次バネ片９の係止側部１３、１３をロック係止部２１、２１から外す。これにより、箔電極接続部４と箔電極押圧部１６との間で箔電極２４が押圧挟持された状態が解除され、ソーラーパネル２６とコネクタ２５とを分離することができる。
【００５３】
なお、上記実施の形態では、一次バネ片９の係止側部１３を、ロック側板部２０のロック係止部２１に係止させることにより一次バネ片９の撓み状態を保持したが、一次バネ片９の撓み状態を保持する構造は本実施形態の構造でなくても良く、例えば、別体の部材により一次バネ片９の撓み状態を保持するようにしても良い。
【００５４】
また、上記実施の形態では、箔電極接続バネ部３を電極ベース部２から延出して設けた例を示したが、箔電極接続バネ部３は、別体に形成し、電極ベース部２から連続するように組み付けても良い。
【００５５】
上記実施の形態では、箔電極接続部４に２条のビード７、７を形成し、これらのビード７、７の間に箔電極押圧部１６が位置するようにして、ビード７、７と箔電極押圧部１６とで箔電極２４の抜けを阻止したが、箔電極押圧部を平面状に形成して２条のビードを形成し、箔電極接続部に１条のビードを形成するようにしても良い。
【００５６】
また、上記実施の形態では、ソーラーパネル２６から引き出された箔電極（いわゆるフラットリボン）２４をコネクタ２５内で出力ケーブル２７の端末の端子６に接続する例を示したが、本発明の実施の形態に係る接続端子１は、ソーラーパネル２６から引き出された箔電極２４以外の電極と相手側導体（端子）との接続にも用いることができる。
【００５７】
上述の通り、本発明の実施の形態を開示したが、当業者によっては本発明の範囲を逸脱することなく変更が加えられうることは明白である。すべてのこのような修正及び等価物が次の請求項に含まれることが意図されている。
【産業上の利用可能性】
【００５８】
本発明に係る接続端子は、箔電極を使用する家電製品、産業機器、ロボット、コンピューターと周辺機器、通信基地局、自動車の分野に利用可能である。
【符号の説明】
【００５９】
１  接続端子
２  電極ベース部
３  箔電極接続バネ部
４  箔電極接続部（第２押圧部）
５ａ、５ｂ、５ｃ、５ｄ  電極
６  端子
７  ビード
９  一次バネ片
１０  二次バネ片
１１  一次バネ部
１２  一次バネアーム部
１３  係止側部（ロック部材）
１４  二次バネ部
１５  二次バネアーム部
１６  箔電極押圧部（第１押圧部）
１７  隙間（開口）
１８  支持バネ部
１９  当接端
２０  ロック側板部
２１  ロック係止部（ロック部材）
２２  保護側壁
２３  撓み規制部
２４  箔電極
２５  コネクタ
２７  出力ケーブル
２９  コネクタ本体
３０  受け部
【図１】
2017111863.tif 000003
【図２】
2017111863.tif 000004
【図３】
2017111863.tif 000005
【図４】
2017111863.tif 000006
【図５】
2017111863.tif 000007
【図６−Ａ】
2017111863.tif 000008
【図６−Ｂ】
2017111863.tif 000009
【図６−Ｃ】
2017111863.tif 000010
【図６−Ｄ】
2017111863.tif 000011
【図６−Ｅ】
2017111863.tif 000012
【図７】
2017111863.tif 000013
【図８】
2017111863.tif 000014
【手続補正書】
【提出日】平成29年2月10日(2017.2.10)
【手続補正１】
【補正対象書類名】明細書
【補正対象項目名】００１０
【補正方法】変更
【補正の内容】
【００１０】
上記課題を解決するため、本発明の一態様は、外力に抗しつつ近接して互いに電極を挟む、一体的に設けられた第１押圧部および第２押圧部と、第１押圧部に設けられ、この第１押圧部と第２押圧部とで電極を挟んだ状態で第１押圧部を保持するロック部材と、を備え、電極としての箔電極が接続される接続端子であって、箔電極が接続される箔電極接続部を備えた電極ベース部と、この電極ベース部に連続して設けられ箔電極接続部との間で箔電極を所定の接触圧で挟持する箔電極接続バネ部とを備え、箔電極接続バネ部は、電極ベース部から連続し箔電極接続部側に延設された一次バネ片と、この一次バネ片から箔電極接続部に向けて延設されるとともに一次バネ片に向けて折り曲げられた二次バネ片とを備え、二次バネ片には、一次バネ片を箔電極接続部側へ撓ませることでこの箔電極接続部との間で所定の接触圧で箔電極を押圧挟持する箔電極押圧部が設けられ、箔電極押圧部が第１押圧部であり、箔電極接続部が第２押圧部であることを特徴とする。
【手続補正２】
【補正対象書類名】明細書
【補正対象項目名】００１２
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
外力に抗しつつ近接して互いに電極を挟む、一体的に設けられた第１押圧部および第２押圧部と、
前記第１押圧部に設けられ、当該第１押圧部と前記第２押圧部とで前記電極を挟んだ状態で前記第１押圧部を保持するロック部材と、を備え、
前記電極としての箔電極が接続される接続端子であって、
前記箔電極が接続される箔電極接続部を備えた電極ベース部と、
この電極ベース部に連続して設けられ前記箔電極接続部との間で前記箔電極を所定の接触圧で挟持する箔電極接続バネ部とを備え、
前記箔電極接続バネ部は、前記電極ベース部から連続し前記箔電極接続部側に延設された一次バネ片と、
この一次バネ片から前記箔電極接続部に向けて延設されるとともに前記一次バネ片に向けて折り曲げられた二次バネ片とを備え、
前記二次バネ片には、前記一次バネ片を前記箔電極接続部側へ撓ませることで該箔電極接続部との間で所定の接触圧で前記箔電極を押圧挟持する箔電極押圧部が設けられ、
前記箔電極押圧部が前記第１押圧部であり、前記箔電極接続部が前記第２押圧部であることを特徴とする接続端子。
【請求項２】
前記ロック部材は、前記第１押圧部が前記第２押圧部へ近接することを許容し、前記第１押圧部が前記第２押圧部から離れることを阻止する係止部を有することを特徴とする請求項１に記載の接続端子。
【請求項３】
前記箔電極接続バネ部の両側であって前記電極ベース部の両側部から同方向に立ち上がり、前記一次バネ片の係止側部が係止して、前記一次バネ片の前記箔電極接続部側への撓み状態を保持するロック係止部を有するロック側板部が設けられ、
前記係止側部と前記ロック係止部が前記ロック部材であることを特徴とする請求項１または請求項２に記載の接続端子。
【請求項４】
前記一次バネ片が前記電極ベース部に連続し該電極ベース部側に折り返された一次バネ部と、この一次バネ部から直線状に延設される一次バネアーム部と、この一次バネアーム部の側部に設けられた前記係止側部とで形成され、
前記二次バネ片が前記一次バネアーム部から連続し該一次バネアーム部側へ折り返された二次バネ部と、この二次バネ部から直線状に前記電極ベース部側に延設される二次バネアーム部と、この二次アーム部から連続し前記一次バネアーム部側へ向けて直線状に折り曲げられた支持バネ部と、この支持バネ部の先端側に設けられて前記一次バネアーム部に当接する当接端と、前記二次バネアーム部と前記支持バネ部との間に設けられて前記一次バネ片を前記箔電極接続部側へ撓ませた状態で前記箔電極接続部との間で所定の接触圧で前記箔電極を押圧挟持する前記箔電極押圧部とを備えていることを特徴とする請求項１乃至請求項３のいずれか一項に記載の接続端子。
【請求項５】
前記箔電極接続バネ部の両側であって前記電極ベース部の両側部から同方向に立ち上がる一対の保護側壁に、前記一次バネ片が前記箔電極接続部側へ撓んだ状態で該一次バネ片に当接し、前記一次バネ片の撓み量を規制する撓み規制部を設けたことを特徴とする請求項１乃至請求項４のいずれか一項に記載の接続端子。
【請求項６】
前記箔電極接続部には、前記一次バネ片が撓んで前記箔電極押圧部が当接する位置の両側に、前記箔電極押圧部側に突出する一対のビードが設けられていることを特徴とする請求項１乃至請求項５のいずれか一項に記載の接続端子。
【請求項７】
コネクタ本体と、このコネクタ本体内に固定され出力ケーブルの端末に接続された端子と、この端子に接続された請求項１乃至請求項６のいずれか一項に記載の接続端子とで形成されていることを特徴とするコネクタ。